(57)【要約】　　　（修正有）【課題】立食パーティーや花見など屋外もしくは自動車内での飲食において、食材、飲料の入ったコップ、匙類、及び箸をまとめたトレイを、片手で容易に長時間持ち続けることができる。【解決手段】親指穴５に親指をトレイに通して、同親指設置部分６を親指と人差し指の側面で挟むことによってトレイの重心の近くでトレイを支える。トレイに凹状の複数の同受皿７を固定する。コップは同コップ差込部８に差し込み、同コップ押さえ１４によりトレイに固定する。フォークは凹状の同フォーク置部９に固定し、箸は同箸置部１０において親指設置部分でトレイと共に親指で固定する。柔らかい材質でもコップや食材の重みに耐えられる構造となっている。【選択図】　　図６
0003097980.tif 000002
【実用新案登録請求の範囲】
【請求項１】
パーティー用片手トレイ
【請求項２】
紙製使い捨てパーティー用片手トレイ
【考案の詳細な説明】
【０００１】
【考案の属する技術分野】
本考案は、屋内、屋外立食パーティー等において「食材の入った食器」、「飲み物が入ったコップ類」、「食材を食べるためのフォーク」、「匙類」を一つにまとめ、片手の親指と人差し指（ないしこれに数本の指を添える）だけで容易に支え持ち、パーティー会場内での立食と移動並び空いた片手による自由な動作を無理なく行うことが出来るトレイに関するものである。
なお、本考案は、さきに株式会社アサヒビールプランニング外を出願人とし、考案者を山口桂次外として、御庁に出願した「組立式ハンドトレイ」（実願平２−０８０００８，出願平２（１９９０）７月２７日，登録番号２１０７８０５，平成１０年６月２９日権利放棄）について、その欠点を除去し、さらに新機能を持たせるようにした発展形態である。
【０００２】
【従来の技術】
通常立食パーティー等においては食事に際して、食材を乗せる皿、飲み物を入れるコップ、及び食材を取るためのフォーク等の匙類若しくは箸が必要となる。
さらに、立食パーティーは食材の種類が豊富であり、参加者は出来る限り多くの異なる種類の食材を皿に乗せようとする。
ところが、立食パーティーでは、近くにテーブル等がないと、食材等を乗せる複数の皿、コップ、フォークなどの匙類や箸のすべてを持つことは非常に困難となる。またこれらを同時に手に持って移動し、お盆、通常のトレイ等に乗せて移動することもたやすくはない。
そのため、皿、コップ、フォークなどの匙類や箸の全てをまとめるために、お盆や平面なトレイが使われていた。
【０００３】
【考案が解決しようとする課題】
お盆に皿、コップ、フォークなどの匙類や箸を全て乗せた場合には、食事中、移動中のいずれの場合にも、載せられた皿やコップなどがお盆を滑りやすく、フォークなどの匙類や箸はお盆を転がりやすい。また皿や盛り付けた食材等は重心の位置が手にしているお盆よりも上になるため、これらをお盆から落とす危険があった。
また、テーブル上に置いてある皿を取り上げこれに食材などを盛り付けるとき、あるいは盛り付けた食材を食するときは、いずれも片手に箸等を持ち、残る片手でトレイの端を持つことになるが、この場合従来のお盆（または通常のトレイ）では、その縁を親指と人差し指の側面で支えなければならなかった。
この掴みかたの場合、支える力点がお盆の重心位置から最も遠い地点となるために、指にかかる負荷が非常に大きくなる。このため長時間にわたれば疲労が増し、老人、女性などでは負荷に耐えられない場合も生ずる。お盆上の皿等は上記のとおりもともと滑りやすく、重心も不安定なため、皿や食材をお盆から落とす危険はさらに高くなる。
パーティーでは和、洋、中の様々な料理が取り合わせて出されることが多く、さらに参会者の多方面の好みに適合させるため、調理方法も意図的に多種類のものが用意されがちである。すし等の扱いやすい食材だけでなく、スープや汁気の多い料理、たれやソース、ドレッシングに工夫を凝らした料理も含まれる。これらは通例少量ずつ同じ皿に盛り付けられることがあるが、異種類のソースが混ざり合ったり、汁などの液体が皿のふちからこぼれそうになったりするのを防止するために最大の神経を使わなくてはならなくなる。
食材等は、通常中央のアイランドあるいは四隅の端等に設置された台に置かれることが多く、これと飲食、会話等をする場所とは若干の距離をおいてある。この間を移動する際は、お盆あるいは皿、コップ等は両手によって確保しておくほうが望ましい。混雑する場合は人を掻き分ける際に他人の衣服を汚すなどの危険も避ける注意深さも要求される。そもそも立食パーティーの目的のひとつには、参会者相互の挨拶、会話、出会い等が期待されていることが多いのが通例であり、この移動中に挨拶、会話、名刺交換、握手等がしやすいことが望ましい。
移動中にこのような必要性が生じた場合は、直近のテーブル上にお盆等を置くスペースをすばやく探しあて、一旦皿等をその場におく動作をしなければならなかった。
【０００４】
【課題を解決するための手段】
本考案は、トレイ上で食器、コップ類、及び匙類をまとめ、かつ安定させた上、片手で長時間支えることを容易にするものである。
【０００５】
トレイは片手での持ち運びを予定しており、素材は軽いプラスチック等などが望ましい。またパーティーは野外でもありうるところ、請求項２のような使い捨てを予定した紙製のトレイも望ましい。
【０００６】
パーティーで拍手や乾杯をするために、一斉にトレイをテーブル置く場面が数回以上予定されていることが多く、このことを考えると、トレイの形は四角であることが望ましい。
加えて、混雑した会場で、移動中等にトレイが他の参加者にぶつかることを想定すると、角は丸みを帯びている方がよい。
【０００７】
トレイの平面上の重心と片手の親指を置く位置を可能な限り近づけるために、トレイの内側に親指が入る穴を空ける。
トレイは親指と人差し指の側面で挟み込むようにして支えることとなる。そのため、親指を通す穴は十分広がっている必要がある。具体的には、以下のような形の穴が望ましい。
縦は、通常人の手の平を広げた形で、人差し指の親指側を先端から付け根までなそり、そのまま手首まで延ばした線のうち、手の平の上を通過する線の部分の長さが必要となる。
横は親指の中手指節関節が通る幅が必要である。
この穴は縦に長い楕円となるが、トレイ全体の重心がトレイの平面の中央にあることからすると、トレイの中心に向かった楕円形であることが望ましい。
そして、可能な限りトレイに食材等を並べられるようにするため、穴の位置は四角いトレイの一方の角に設ける。
さらに、トレイの重心を、持つ部分よりも下方にするほうが安定するため、親指が触れる部分はトレイから盛り上げ、人差し指の側面が当たる部分はトレイの底を凹ませることが望ましい。
【０００８】
立食パーティーの参加者は食材テーブルと会話席との間を何度も行き来するのを避けるため、一度にできるかぎり多くの食材をトレイに乗せようとする。このため食材を盛る皿の数は多数あった方がよい。
食材を受ける皿の数を増やし、かつ皿をトレイに固定するためには、トレイそのものに凹形の部分を設けて皿を形作るか、トレイの一部を盛り上げて皿の縁を形作る方法のいずれがか考えられるが、食材の重心をトレイよりも下に持ってくる方がトレイは安定するため、凹形が最もよい。
また食材受けにはスープ、ソース、たれ、ドレッシングなどの液体も乗るため、それぞれの液が混ざり合わないよう複数の区分けを持ち、またそれぞれの凹部はトレイの水平面から十分な深さを持つ必要がある。
【０００９】
食事を中断している時間帯に、安定して匙類や箸を置く場所があることが望ましい。匙類が食材と共に落下したりしないよう、置く場所を食材と別個に設け、かつ転がらないようにある程度の枠を設ける必要がある。
食材を受ける皿が凹形であることから、匙類の場合にも凹形が安定し、望ましい。さらにこのトレイを重ねて保管する場合にも、この部分が凹形であることが非常に有用である。
【００１０】
飲み物を入れるコップはトレイの上で重心が高くなり、これがトレイを片手で支える際に不安定となる最も大きな要因である。これを克服するにはコップの重心をトレイの水平面から可能な限り下方にさせる必要がある。
そのため、トレイにコップの形状と同じ丸い穴を空けてそこにコップを差し込む方法が望ましい。飲料が入ったコップが差し込まれることによって落下の危険はなくなって安定するだけでなく、トレイ全体の重心位置が低くなる。ただ飲料の入ったコップは、食材、匙類や箸と比べ極めて重いため、トレイを持つ支点（親指の位置）からは可能な限り近くし、偶力を最小限に押える必要がある。
そのため、コップの設置部分は親指と人差し指の側面で挟む部分最も近い部分とする。但し、コップの差込穴がトレイの中央部にあると、食材等が取りにくくなるため、差込穴は四角形の角の位置にならざるを得ない。
その結果、上記四角形を長方形にした上で、辺の短い、親指差込穴に隣り合った角部分にコップの設置場所を設けることとなる。
【００１１】
請求項２の紙製トレイは、立食パーティーでの課題を考えると、親指部分、コップ差込部分、受皿、箸置部分は請求項１の考案実施の実態と同様となる。
しかし、紙はプラスチックよりも柔らかいことから、重いコップを差し込み、大量の食材を乗せた場合には、トレイがこれらの重みに耐えられず曲がってしまい、コップや食材を落としてしまう危険がある。
そのため、全体の大きさは請求項１よりも一回り小さく、かつ構造も丈夫で単純化せざるをえない。
【００１２】
さらに、請求項２は小型化したために可能な限りスペースを省略しなければならず、また後述するように屋外等で使用される頻度が高いために、フォーク置部分と箸置部分を一緒にして、箸かフォークのいずれか１つを選択させたほうがよい。
【００１３】
【考案の実施の形態】
【請求項１】
考案の実施の形態については図１〜図６を参照して説明する。
請求項１については、片手トレイはプラスチックポリプロピレンＰ．Ｐ製を用いる。
【００１４】
トレイ全体の形は、図１において前面部１から後面部２まで２５０ミリメートル・外側側面部３から内側側面部４まで１９５ミリメートルの長方形状をしており、四方の角はそれぞれ円形をしており、各四辺も緩やかな丸みを帯びている。
【００１５】
図２においてトレイの上面部１１から下面部までの厚さは２ミリメートルである。
【００１６】
トレイ表面は磨かれており、光沢をもたせている。
【００１７】
図１の後面部２と外側側面部３の角付近に、親指を通す穴が空いている（親指穴５）。親指穴５は半円と長方形の合成形状をしており、３２ミリメートルの２つの半円及び、その各半円の直径部分をそれぞれ向かい合う２辺とし、長方形と２つの半円の半径を合わせた長さは４４ミリメートルである。
親指穴５の周辺は、トレイ上面基準線から４ミリメートル上面部に盛り上げている（親指設置部６）。親指設置部６も半円と長方形の合成形状をしており、半円の直径は４４ミリメートル、長方形と２つの半円を合わせた長さは８５ミリメートルである。
親指穴５と親指設置部の半円の中心点を結ぶ線の延長は、親指と人差し指の側面でトレイを挟んで支えたときに、トレイの前面部が体の中心に来るように、親指穴と親指設置部分が重心からやや外側方向に延び、後部面から中央よりやや外側側面部３寄りの角度で傾斜している。
【００１８】
後面部２内側側面部４の角付近には、コップ差込部８がある。コップ差込部８は直径５５ミリメートルのコップを差し込む穴が設置されている。
コップ差込部の穴には下面部から下方に向かって長さ２５ミリメートルの短冊状のコップ押さえ１４が延びている。このコップ押さえ１４は計１２枚であり、短冊状の末端部は直径が４３ミリメートル、先端部は上記のとおり直径５５ミリメートルの円となっている。またコップ押さえの各短冊の厚さは１ミリメートル、各短冊の間には２ミリメートルの透き間があるため、コップを差し込んだ際に、内側の円が若干広がり、かつ各短冊１４が戻る力によってコップを周囲から挟み、トレイに固定する状態になる。
【００１９】
前面部に、上面部１１からそれぞれ１８ミリメートル掘り下げ、食材を乗せる受皿７を形成している。上面部１１から受皿７の底までの縁はなだらかな丸みを帯びている。
内側側面部４側の受皿７には前方から７６ミリメートル部分に、内側側面部４から中央付近に掛けて受皿７を横切るように仕切が設けられている。
【００２０】
フォーク置部９については、前面部１から後面部２にかけて深くなっていく溝が掘られている。フォーク置部の形状は、前面部１では上面基準線１３と同じ高さで始まり、後面部２の方向へ６ミリメートルのところから次第に下方へ掘り下げられ、１５８ミリメートルのところでは上面基準線１３から１０ミリメートルの深さになり、そこからやや丸みを帯びて上面基準線１３に戻っている。
溝の幅は前面部１から後面部２に向かって６３ミリメートルまでは１０ミリメートルを保ち、その後はなだらかに拡張していき幅３４ミリメートルとなってその後平行の溝となり、全体としてフォークの外縁を形作る。
【００２１】
箸置部１０は、コップ差込部８と親指設置部６の間に位置し、前面部から後面部に向かって長い長方形をしている。長方形は長い辺が８０センチメートル、短い辺が３８ミリメートルであり、上面基準線１３から６ミリメートル盛り上がっている。
【００２２】
下面部１２は上面部１１の凹凸に従い凸凹を形作っている。下面部の下方への凸部は、テーブルを傷つけることのないよう丸みを帯びている。
【００２３】
【請求項２】
考案の実施の形態については図７〜図１０を参照して説明する。
請求項２の片手トレイについては、紙製を用いる。
【００２４】
請求項１とほぼ同様の形態であるが一回り小さく、全体の大きさは縦２１５ミリメートル、横１４５ミリメートルとなる。
また
【００１１】で述べたとおり、請求項１よりも軽量化単純化されている。
【００２５】
請求項２のトレイは、紙製で曲がりやすい材質であるため、且つもともと請求項１ほど多くの食材を乗せることを予定していないため、トレイの支え方も縁を親指の腹と人差し指の側面で挟む方法による構造となっている。
但し、指先が滑るのを防ぐために、紙製トレイ親指先設置部１５は縦５０ミリメートル、横３０ミリメートルの楕円形をしており、親指の先が設置される部分は凹んで指先が収まるようになっている。
【００２６】
紙製トレイコップ差込部１６は、請求項１と異なり凹部に紙コップを差し込む方法で支える。
凹部はトレイの縁から３５ミリメートルの深さに掘り下げられ、紙コップの下部の外縁に沿った円形のすり鉢状をしている。本考案では底の直径を４６ミリメートルとしている。
【００２７】
紙製トレイ受皿１７は請求項１と同様に多彩な食材を乗せるために、３皿である。
それぞれ、トレイの縁から深さ３５ミリメートルの凹部により皿の縁を形成している。
紙製トレイ受皿１７は、内側後方及び前方に、それぞれ縦６０ミリメートル、横６７ミリメートルのものが２皿、外側に縦１２２ミリメートル、横６７ミリメートルのものが１皿設置されている。
【００２８】
請求項２ではフォーク置部分を設置しなかった。紙製トレイ箸置部分１８は、紙製トレイ親指先設置部１５と紙製トレイコップ差込部１６の間に置かれ、縦４６ミリメートル、横３０ミリメートルである。
【考案の効果】
【００２９】
本考案は上述のとおり構成されているので、次に記載する効果を奏する。
請求項１については、片手トレイの底面から上面に向けて指出し部分から片手の親指を入れ、親指と人差し指の側面で指出し部分前方の突起部分を挟むことで安定した形で固定される。重心から近い部分で支えるための、トレイに食材やコップが乗ったとしても片手で容易にバランスを取ることができる。
請求項２については、親指先をトレイの凹部に固定することにより、トレイで指先が滑るのを防ぐことができる。
また、請求項１及び２については、片手で容易に持ち運びが出来る結果、トレイに皿、コップ、匙類、及び箸を一つにまとめてパーティー会場内を移動し、また食材などをトレイに乗せ、食事をとることができる。トレイの受け皿部分が縁により分離されていることによって、より多くの食材をトレイに乗せることができ、かつ食材のスープ等が混ざらない。
【００３０】
このトレイは立食パーティー、野外パーティー等「常に移動」し、「立食」する場合に最も威力を発揮する。
しかしこのほか「お花見」など必ずしも終始立ちつづける事まで予想されない場合であっても、十分有用である。
即ち、懐石料理等の食事時間中全く移動しないことが予定されるような場合は別として、食事の卓席や配膳体制が必ずしも整っていない場所での会食、花見など坐って行う時にあっても坐が定まらず移動も多い場合等においては、このトレイを用いることによって料理等の給仕作業が円滑に行われ、飲食に際して食器類を持つ手にかかる負担がこのトレイによって少なくなって楽になり、使用する食器類の数が極端に少なくなって準備、後始末、清掃等も非常に楽になる。
また凹形状に食材を盛ることにより、皿に盛る場合に比して食材の落下が少なくなって汚損等も防止できる。
【００３１】
請求項１及び２のトレイは自動車内等の狭い空間でも使用可能であり、狭い空間内で食材のやり取りをする場合まで勘案すると、車内等での利用にも適したものといえよう。
自動車の場合、走行中は上下左右への振動が生じ、例えば膝の上に置く事が予定されているような形状のトレイの場合は、振動によりかえってトレイ上の食材が落下する危険が増え、移動中は使用できない。しかし、本トレイのような手に持つ形状の場合は走行中も対応可能となる。
【００３２】
さらに、請求項２については、使用後はトレイを処分することができ、後始末の手間を省くことが出来る。屋外でのパーティーなどトレイを洗浄することが困難な場合や、パーティーの後にトレイの保管を必要としない場合に効果を発揮する。
また、自動車内において食事をとる場合、トレイは食事の間だけ利用できることが望ましい。この点、請求項２は食後には可燃ゴミとして処分し、車内にトレイを残さないことができるため有用である。
【図面の簡単な説明】
【図１】請求項１のパーティー用片手トレイの平面図である。
【図２】請求項１のパーティー用片手トレイを前面部から下面部に向けてみた側面図である。
【図３】請求項１のパーティー用片手トレイの図１のＡ〜Ａ’間の断面図
【図４】請求項１のパーティー用片手トレイの図１のＢ〜Ｂ’間の断面図
【図５】請求項１のパーティー用片手トレイの図１のＣ〜Ｃ’間の断面図
【図６】請求項１のパーティー用片手トレイの立体図
【図７】請求項２の紙製使い捨てパーティー用片手トレイの平面図
【図８】請求項２の紙製使い捨てパーティー用片手トレイのＤ〜Ｄ’間の断面図
【図９】請求項２の紙製使い捨てパーティー用片手トレイのＥ〜Ｅ’間の断面図
【図１０】請求項２の紙製使い捨てパーティー用片手トレイのＦ〜Ｆ’間の断面図
【符号の説明】
１　　前面部
２　　後面部
３　　外側側面部
４　　内側側面部
５　　親指穴
６　　親指設置部
７　　受皿
８　　コップ差込部
９　　フォーク置部
１０　　箸置部
１１　　上面部
１２　　下面部
１３　　上面基準線
１４　　コップ押さえ
１５　　紙製トレイ親指先設置部
１６　　紙製トレイコップ差込部
１７　　紙製トレイ受皿
１８　　紙製トレイ箸置部
１９　　紙製トレイ前面部
２０　　紙製トレイ後面部
２１　　紙製トレイ内側側面部
２２　　紙製トレイ外側側面部
２３　　紙製トレイ上面部
２４　　紙製トレイ下面部
【図１】
0003097980.tif 000003
【図２】
0003097980.tif 000004
【図３】
0003097980.tif 000005
【図４】
0003097980.tif 000006
【図５】
0003097980.tif 000007
【図６】
0003097980.tif 000008
【図７】
0003097980.tif 000009
【図８】
0003097980.tif 000010
【図９】
0003097980.tif 000011
【図１０】
0003097980.tif 000012